(57)【要約】【課題】  ディスク駆動装置内に別個独立に冷却ファン装置を設けることなく、高い冷却効果が得られ、かつディスクの挟持力を向上させるようにする。【解決手段】  スピンドルモータ４の回転軸５に固定されたターンテーブル２の下部に、ポンプ状ファン３を設けることで、ターンテーブル２の回転により空気の吸気と排気を行い、吸気された空気がポンプ状ファン３を通ることにより圧縮し、その圧縮空気をスピンドルモータ４側へ排出する。また、ターンテーブル２に開口部８を設け、ターンテーブル２とターンテーブル２に載置されたディスク１との間の空間の空気を、その開口部８からポンプ状ファン３の中を通ってスピンドルモータ４側へ排気するためのダクト９を設けることにより、空気を排気する。【選択図】      図１  
2005056520.tif 000002
【特許請求の範囲】
【請求項１】
モータの回転軸の上端部に固定した、ディスク状記録媒体を載置するターンテーブルを備えたディスク駆動装置において、
前記モータの回転軸に固定し、前記ターンテーブルの下部に位置する、上部が広く、下部へ向かって徐々に狭くなる形状で、上部に吸気口、下部に排気口を設けたポンプ状のファンを備えた
ディスク駆動装置。
【請求項２】
前記請求項１記載のディスク駆動装置において、
前記ポンプ状のファンの排気口はモータに向けて開いてあり、吸気した空気をポンプ状のファンを通ることにより圧縮し、その圧縮空気をモータ側へ排出することを特徴とする
ディスク駆動装置。
【請求項３】
前記請求項１記載のディスク駆動装置において、
前記ターンテーブルに、ディスク状記録媒体を載置する面から前記ポンプ状ファンと接する面へ貫通する開口部を設け、
前記ターンテーブルと前記ターンテーブルに載置したディスク状記録媒体との間の空間の空気を、前記ポンプ状のファンの内部を通して前記排気口へ排気する、前記開口部と接続するダクトを備えた、
ディスク駆動装置。
【発明の詳細な説明】
【技術分野】
【０００１】
本発明は、光ディスクや光磁気ディスクなどのディスク状記録媒体の記録及び／又は再生を行うために、ディスクを載置するターンテーブルを備えたディスク駆動装置に関する。
【背景技術】
【０００２】
従来、光磁気ディスクや光ディスクなどのディスク状記録媒体を用いて、情報の記録及び再生を行うように構成された記録再生装置が各種実用化されている。このような装置には、光磁気ディスクや光ディスクなどのようなディスク状記録媒体を回転操作するスピンドルモータが内蔵されている。このスピンドルモータには、その回転軸の上端部に、光磁気ディスクや光ディスクなどを正確に位置決めして装着するとともに、ディスクを面振れなく正確に回転操作させるターンテーブルが設けられている。ターンテーブル上に載置された光磁気ディスクや光ディスクは、クランパによってディスク上部から押さえられることにより、ターンテーブルとクランパの間で挟持される。
【０００３】
従来、光磁気ディスクや光ディスクなどを挟持するためのターンテーブルとクランパは、ディスクへの挟持力を高めるために、クランパにマグネットを備え、ターンテーブルを磁性体で作製し、マグネットがターンテーブルの磁性体と引き合う吸引力を利用して、ディスクを挟持していた。
【０００４】
ところで、従来のディスクを使用した記録再生装置には、この装置内の温度上昇を抑制するために、冷却用の羽根部を回転させる空冷式の冷却ファン装置をディスク駆動用のスピンドルモータとは別個独立に設けていた。しかし、このような冷却ファン装置をモータとは別個独立に設けることは、コストが高くなるばかりでなく、装置内に冷却ファン装置を取り付けるスペースを確保しなければならなかった。
【０００５】
特許文献１には、上記問題を解決するため、ディスクを載置するターンテーブルに冷却用の羽根部を設けることにより、冷却ファン装置を設けることなく装置内の温度上昇を抑制できる装置について開示されている。
【特許文献１】特開平８−２７９２４２号公報
【発明の開示】
【発明が解決しようとする課題】
【０００６】
ところが、上述の冷却手段では、ターンテーブルに羽根部を設け、スピンドルモータの回転に伴いターンテーブルが回転することにより風を起こして、空気の流れにより高温部の空気を排出するが、ターンテーブルの上部にディスクが載置されているため、スムーズな空気の流れを実現することが難しく、冷却効果が少なかった。
【０００７】
また、近年の光ディスクなどの技術の進歩により記録媒体の高密度化が進み、それに伴い、高回転でディスクを高速に回転し、より多くの情報を記録又は再生するようになってきている。そのため、スピンドルモータへの負担も大きくなり、モータの焼付けなどを防ぐために従来よりも更に効果の高い冷却手段が必要になっている。
【０００８】
一方、光ディスクなどを高速で回転させる場合は、ディスクとターンテーブル、あるいはディスクとクランパの間の摩擦力より回転力が上回るため、ディスクがターンテーブルとクランパの間でスリップするという問題も発生する。そのため、クランパのマグネットの磁力を強化したり、ターンテーブル又はクランパのディスクと接触する面に摩擦材を貼り付けるなどの対策が考えられるが、コストが高くなるとともに、製作工程が増えるなどの問題が発生する。
【０００９】
本発明の目的は、ディスク駆動装置内に別個独立に冷却ファン装置を設けることなく、高い冷却効果が得られ、かつディスクの挟持力を向上させることにある。
【課題を解決するための手段】
【００１０】
本発明は、スピンドルモータの回転軸に固定されたターンテーブルの下部に、ポンプ状のファンを設けることで、ターンテーブルの回転により空気の吸気と排気を行い、吸気された空気をポンプ状のファンを通ることにより圧縮し、その圧縮空気をスピンドルモータ側へ排出するようにしたものである。
【００１１】
このようにしたことで、吸気口より取り込んだ空気がポンプ状のファンの内部で圧縮され、その圧縮空気が排気口より流出する際に大気圧になるため、排出空気の温度が下がる。その低温になった空気をスピンドルモータへ直接当てることにより、高い冷却効果を得ることができる。
【００１２】
また、本発明は、ターンテーブルの上面、即ち光ディスクなどを載置する側の面からターンテーブルの下部に設けたポンプ状のファンに通じる複数の開口部を設け、その開口部からターンテーブル下部に設けたポンプ状のファンの中へターンテーブルとターンテーブルに載置されたディスクとの間の空間の空気を吸気し、スピンドルモータ側へ排気するためのダクトを設けることにより、ターンテーブルの回転に伴い、ターンテーブルとターンテーブルに載置されたディスクとの間の空気を排気するようにしたものである。
【００１３】
このようにしたことで、ターンテーブルとターンテーブルに載置されたディスクとの間の空気が、上記ダクトでスピンドルモータ側へ排気されるため、ターンテーブルの回転中はディスクとターンテーブルとの間の空間の気圧が下がり、その気圧の差によりディスクがターンテーブル側に引っ張られる状態にすることができる。
【発明の効果】
【００１４】
本発明によると、ターンテーブルの回転に伴い、ターンテーブルの下部に設けたポンプ状のファンにより圧縮空気が発生し、その圧縮空気をスピンドルモータ側へ排気することにより、低温の空気がスピンドルモータに直接当たるため、高い冷却効果が得られる。そのため、ディスク駆動装置内に冷却ファン装置を別個に設けることなく、装置内の温度上昇を抑制することができる。
【００１５】
また、本発明によると、ターンテーブルの回転に伴って、ターンテーブルとターンテーブルに載置されたディスクとの間の空間の空気を排出することで、ディスクとターンテーブルとの間の空間の気圧を外部の気圧より低下させるため、クランパのマグネットの磁力を強化したり、ターンテーブル又はクランパのディスクと接触する面に摩擦材を貼るなどの対策を行うことなく、ディスクの回転中にディスクの挟持力を向上させることができる。
【発明を実施するための最良の形態】
【００１６】
以下、本発明の一実施の形態を、図１〜図２を参照して説明する。図１は本例の概略構成を示す模式図である。ここでは、記録装置又は再生装置が備えるターンテーブルに載置するディスク状記録媒体として、光ディスクを例に説明する。図１において、光ディスク１は図示しないクランパとターンテーブル２により挟持されている。挟持された光ディスク１は、図示しない光学ピックアップにより記録または再生を行うようにしてある。ターンテーブル２の下部には、ポンプ状ファン３が設けられ、ターンテーブル２とポンプ状ファン３はスピンドルモータ４の回転軸５に固定してある。そのため、スピンドルモータ４の回転に伴って、ターンテーブル２とポンプ状ファン３も回転する。ポンプ状ファン３は、上部、即ちターンテーブル２側が広く、下部、即ちスピンドルモータ４側へ向かって徐々に狭くなり、下部が最も小さい形状となるように構成してある。その内部は空洞にしてあり、上部には複数の吸気口６を設け、下部のスピンドルモータ４に面した位置に排気口７を設けてある。また、ターンテーブル２には、光ディスクを載置する側の面からターンテーブルの下部に設けたポンプ状ファン３に通じる複数の開口部８を設けてあり、その開口部からポンプ状ファン３の内部を通って、排気口７までをつなぐ管状のダクト９を開口部８に接続してある。
【００１７】
図２は、ターンテーブル２を上側から見た部分図である。ターンテーブル２とポンプ状ファン３の上部は同じ形状としてあり、その外周部には、鋸歯状の凹凸部１０を等間隔に複数設けてある。ポンプ状ファン３には、凹凸部１０のスピンドルモータ４の回転方向、即ち図２の矢印Ａの方向に面する面に、吸気口６を設けてある。これにより、ターンテーブル２の回転により、図２の矢印Ｂの方向から吸気口６に空気が入り、吸気口６から吸い込まれた空気は、図１の矢印Ｂに示すようにポンプ状ファン３の内部を通って排気口７から排出される。このとき、ポンプ状ファン３の形状は、ターンテーブル２側の上部が広く、スピンドルモータ４側の下部が狭い構造としてあるため、吸気された空気がポンプ状ファン３の内部を通ることにより圧縮される。圧縮された空気がスピンドルモータ４側に向けて開口した排気口７から排出される際、空気は大気圧に膨張するため、排出空気の温度が下がる。更に、ファンをポンプ状としたことで、吸気口６から吸い込まれた空気がすべて排気口７から排出されるため、低温になった空気をもれなくスピンドルモータ４へ直接当てて冷却することができる。
【００１８】
なお、本例では、ターンテーブル２とポンプ状ファン３の外周を４等分した位置に、凹凸部１０を４箇所設けているが、その個数は４箇所に限らず、ディスク駆動装置の大きさや形状により、装置内の冷却効果が高く、スピンドルモータにかかる負担が少ない個数にすればよい。
【００１９】
また、吸気口６の形状は、図１に示した形状に限らず、空気の取り込みが容易で、ポンプ状ファン３の回転に伴う風きり音などの音や、振動が発生しないような形状にすることが望ましい。
【００２０】
次に、ターンテーブル２に設けた開口部８の動作について説明する。本例のターンテーブル２には、図１及び図２に示すように複数の開口部８を設ける。この開口部８は、ターンテーブル２の上面、即ち光ディスク１などを載置する側の面からターンテーブルの下部に設けたポンプ状ファン３に通じる開口部であり、ポンプ状ファン３の内部を通り、排気口７に至るダクト９を接続してある。このように構成することにより、スピンドルモータ４の回転に合わせてターンテーブル２が回転すると、図１の矢印Ｃに示すように、光ディスク１とターンテーブル２との間の外周側の隙間から進入した空気が開口部８へ流出する。さらに、図１の矢印Ｄに示すように、光ディスク１とターンテーブル２との間の回転軸５側の隙間から進入した空気が開口部８へ流出する。この開口部８から流出した空気は、ダクト９を通ってポンプ状ファン３の下部へ流れ、ポンプ状ファン３の排気口７から外部へ流れ出る。この空気の流れにより、光ディスク１とターンテーブル２との間の空間の気圧が下がり、その結果、光ディスク１はターンテーブル２方向へ引っ張られる状態となる。また、ダクト９を通って流れ出た空気はスピンドルモータ４に当たるため、スピンドルモータ４の冷却に役立つことになる。
【００２１】
このように、スピンドルモータ４の回転に伴いターンテーブル２が回転することにより、ターンテーブル２と光ディスク１との間の空間の空気を開口部８から流出させることで、光ディスク１の挟持力を増加することができるが、ターンテーブル２の回転が停止するとその効果がなくなるため、光ディスク１の取り外し時にクランパに負担がかかることはない。
【００２２】
なお、本例では、開口部８はターンテーブル２上に４箇所設けているが、その個数や位置は４箇所に限らず、ターンテーブルの大きさや、ディスク駆動装置の構成などにより、ディスクをターンテーブルに押し付ける効果が得られる数や位置に設ければよい。
【００２３】
さらに、上記説明では、ターンテーブルに載置するディスク状記録媒体として、光ディスクを例に説明したが、光ディスクに限らず、光磁気ディスクなどであってもよいことは言うまでもない。
【００２４】
以上説明したように、本例によると、ディスク駆動装置内に冷却ファン装置を別個独立に設けることなく、装置内の温度上昇を抑制することができる。そのため、装置の小型化や、コストダウンが図れる。
【００２５】
また、本例によると、ターンテーブルの回転中は、ディスク状記録媒体がターンテーブル側へ引っ張られるため、ディスクを高速で回転させた場合でもディスクの挟持力を向上させることができる。
【図面の簡単な説明】
【００２６】
【図１】本発明の一実施の形態によるディスク駆動装置の構成例を示す模式図である。
【図２】本発明の一実施の形態によるターンテーブルの例を示す模式図である。
【符号の説明】
【００２７】
１…光ディスク、２…ターンテーブル、３…ポンプ状ファン、４…スピンドルモータ、５…回転軸、６…吸気口、７…排気口、８…開口部、９…ダクト、１０…凹凸部
【図１】
2005056520.tif 000003
【図２】
2005056520.tif 000004